(57)【要約】【課題】水圧が低く、水質の悪い地域においても、給水電磁弁の止水不良を防止することを課題とする。【解決手段】洗い、すすぎ、脱水のコース内容設定とともに、給水電磁弁５８を間欠的に駆動させる間欠給水動作が設定されている場合に、運転コースにおいて、最終すすぎ行程の最後に給水電磁弁５８を間欠的に駆動させる間欠給水動作を行なう構成とすることにより、水圧が低く、水に異物や鉄錆などが混入している水質の悪い地域においても、給水電磁弁５８を所定の通電制御で動作させるので、修理のためのサービス員を呼ぶことなく、給水電磁弁５８の内部に侵入した異物を排出することができ、止水不良になることを防止することができる。【選択図】図５
2018130241.tif 000002
【特許請求の範囲】
【請求項１】
本体内部に防振支持される外槽と、プランジャーでダイヤフラム弁の中央部に形成したパイロットオリフィスを開閉することにより、前記ダイヤフラム弁を開閉して前記外槽内に給水する給水電磁弁と、前記本体上部に配設した洗い、すすぎ、脱水の一連の運転コース内容など各種の入力設定を行なう操作部と設定内容や進行度合いなどを表示する表示部とを有する操作パネル部と、前記操作部の設定に基づいて洗い、すすぎ、脱水の一連の行程を逐次制御する制御手段とを備え、前記制御手段は、前記操作パネル部にて、洗い、すすぎ、脱水の運転コース内容設定とともに、前記給水電磁弁を間欠的に駆動させる間欠給水動作が設定されている場合に、運転コースにおいて、前記給水電磁弁を駆動させて、間欠給水動作を行なう洗濯機。
【請求項２】
制御手段は、操作パネル部に設けられた給水電磁弁への通電ＯＮ時間と通電ＯＦＦ時間の長短組み合わせの複数パターンとその動作回数の設定に応じて、前記給水電磁弁を間欠的に駆動させる間欠給水動作を行なう請求項１に記載の洗濯機。
【請求項３】
制御手段は、洗い、すすぎ、脱水行程で給水を行っている給水時間、および、給水回数を、内部に設けたカウンタで計算して、その内容を動作メモリに記憶し、給水電磁弁を間欠的に駆動させる間欠給水動作を行なってからの前記給水時間、あるいは、給水回数が所定値を越えた時に、操作パネル部にて間欠給水動作の実施を促す報知を行なう請求項１または２に記載の洗濯機。
【請求項４】
制御手段は、給水電磁弁が複数の開閉可能な水路を有する多連式給水電磁弁である場合には、所定の動作パターンで前記多連式給水電磁弁を間欠的に駆動させる間欠給水動作を、複数の水路を交互に、あるいは、同時に駆動させる請求項１〜３のいずれか１項に記載の洗濯機。
【発明の詳細な説明】
【技術分野】
【０００１】
本発明は、洗い、すすぎ、脱水行程を行なう洗濯機に関するものである。
【背景技術】
【０００２】
従来、この種の洗濯機は、給水を自動で行うための給水電磁弁を有しており、水道蛇口に給水ホースの一端を接続し、他端を洗濯機表面に突出している給水電磁弁のホース接続用ネジ部に接続して配管する。使用者が選択した運転コースに基づき、給水電磁弁を動作させて槽内へ給水し、選択されたコースの行程に従って運転していく構成が提案されている（例えば、特許文献１参照）。
【０００３】
図８は、特許文献１に記載された従来の洗濯機の構成図である。
【０００４】
図８において、外槽１１２内に洗濯兼脱水槽１１３が配設されている。洗濯兼脱水槽１１３の底部には、パルセータ１１４が設けられており、洗濯兼脱水槽１１３およびパルセータ１１４は、駆動モータ１１７により回転駆動される。
【０００５】
そして、制御手段１１９が、給水弁駆動手段１２０．排水弁駆動手段１２１を制御し、給水弁１１０および排水弁１１６の開閉を行ない、洗濯兼脱水槽１１３への給水、排水を制御する。また、駆動モータ１１７を制御し、洗濯兼脱水槽１１３およびパルセータ１１４の回転、停止を制御することにより、行程を進めていく。
【０００６】
この時、一般に、上水道の普及している国や地域であれば、水道水圧は一定以上の水圧を確保できているため、給水弁を通電すると水圧差で動作し、水道の蛇口から給水ホースを通じて、洗濯機の洗濯兼脱水槽１１３内へ水を供給することができる。
【０００７】
また、給水弁１１０は、一般的には、プランジャーでダイヤフラム弁のパイロットオリフィスを開閉することによりダイヤフラム弁を連動させて給水するパイロット式給水電磁弁が用いられている。
【先行技術文献】
【特許文献】
【０００８】
【特許文献１】特開昭６３−１９１８６号公報
【発明の概要】
【発明が解決しようとする課題】
【０００９】
しかしながら、水道の普及が遅れている地域や国では、井戸水や雨水をタンクに貯水して使用している場合があり、水圧が低く、水に異物や鉄錆などが混入し、水質が悪い場合が想定される。
【００１０】
このような使用環境下においては、比較的大きな異物は、給水電磁弁の給水入口に設けられる網目状のフィルタ部で止められるが、フィルタの網目を通過できる微小な異物は、フィルタを通過して給水電磁弁の内部に侵入する。水圧が高い場合（概ね０．１Ｍｐａ以上）には、給水弁内部に入った異物は、通水時に水圧によって水と一緒に排出されるが、水圧が低い場合には、水が通るためのダイヤフラム部と弁座の間隔が広がらずに小さいままとなる。この状態では、異物が排出されにくく、異物がダイヤフラム部と弁座の間に挟まると、通電をＯＦＦした時に水漏れし、止水不良になるという課題があった。
【００１１】
本発明は、上記従来の課題を解決するもので、給水電磁弁内部に入った異物がダイヤフラム部と弁座部に挟まり水漏れが発生するような場合に、あるいは水漏れが発生した場合に、修理のためのサービス員を呼ぶことなく、給水電磁弁を所定の通電制御で動作させて異物を排出することができる洗濯機を提供することを目的とする。
【課題を解決するための手段】
【００１２】
前記従来の課題を解決するために、本発明の洗濯機は、本体内部に防振支持される外槽と、プランジャーでダイヤフラム弁の中央部に形成したパイロットオリフィスを開閉することにより、前記ダイヤフラム弁を開閉して前記外槽内に給水する給水電磁弁と、前記本体上部に配設した洗い、すすぎ、脱水の一連の運転コース内容など各種の入力設定を行なう操作部と設定内容や進行度合いなどを表示する表示部とを有する操作パネル部と、前記操作部の設定に基づいて洗い、すすぎ、脱水の一連の行程を逐次制御する制御手段とを備え、前記制御手段は、前記操作パネル部にて、洗い、すすぎ、脱水の運転コース内容設定とともに、前記給水電磁弁を間欠的に駆動させる間欠給水動作が設定されている場合に、運転コースにおいて、前記給水電磁弁を駆動させて、間欠給水動作を行なう公正としたものである。
【００１３】
これにより、例えば、水圧が低く、水に異物や鉄錆などが混入している水質の悪い地域においても、給水電磁弁を所定の通電制御で動作させることにより、修理のためのサービス員を呼ぶことなく、給水電磁弁の内部に侵入した異物を排出することができ、止水不良になることを抑制することができる。
【発明の効果】
【００１４】
本発明の洗濯機は、低水圧環境下において水質が悪い場合でも、修理のためのサービス員を呼ぶことなく、給水電磁弁を所定の通電制御で動作させることにより、給水電磁弁内の異物を排出でき、止水不良を抑制することができる。
【図面の簡単な説明】
【００１５】
【図１】本発明の実施の形態１における洗濯機の縦断面図
【図２】同洗濯機の給水電磁弁の断面図
【図３】同洗濯機のブロック回路図
【図４】同洗濯機の操作パネル部の正面図
【図５】同洗濯機の運転コースにて給水電磁弁を間欠給水動作させる動作フローチャート
【図６】同洗濯機の給水電磁弁を間欠給水動作させる時の動作パターン図
【図７】本発明の実施の形態２における洗濯機の給水電磁弁の平面図
【図８】従来の洗濯機の構成図
【発明を実施するための形態】
【００１６】
第１の発明は、本体内部に防振支持される外槽と、プランジャーでダイヤフラム弁の中央部に形成したパイロットオリフィスを開閉することにより、前記ダイヤフラム弁を開閉して前記外槽内に給水する給水電磁弁と、前記本体上部に配設した洗い、すすぎ、脱水の一連の運転コース内容など各種の入力設定を行なう操作部と設定内容や進行度合いなどを表示する表示部とを有する操作パネル部と、前記操作部の設定に基づいて洗い、すすぎ、脱水の一連の行程を逐次制御する制御手段とを備え、前記制御手段は、前記操作パネル部にて、洗い、すすぎ、脱水の運転コース内容設定とともに、前記給水電磁弁を間欠的に駆動させる間欠給水動作が設定されている場合に、運転コースにおいて、前記給水電磁弁を駆動させて、間欠給水動作を行なう構成とするものである。
【００１７】
これにより、水圧が低く、水に異物や鉄錆などが混入している水質の悪い地域において
も、給水電磁弁を所定の通電制御で動作させることにより、修理のためのサービス員を呼ぶことなく、給水電磁弁の内部に侵入した異物を排出することができ、止水不良になることを防止することができる。
【００１８】
第２の発明は、特に、第１の発明の制御手段は、操作パネル部に設けられた給水電磁弁への通電ＯＮ時間と通電ＯＦＦ時間の長短組み合わせの複数パターンとその動作回数の設定に応じて、前記給水電磁弁を間欠的に駆動させる間欠給水動作を行なう構成とすることにより、修理のためのサービス員を呼ぶことなく、給水電磁弁の内部に侵入した異物を排出することができ、止水不良になることを防止することができる。
【００１９】
第３の発明は、特に、第１または第２の発明の制御手段は、洗い、すすぎ、脱水行程で給水を行っている給水時間、および、給水回数を、内部に設けたカウンタで計算して、その内容を動作メモリに記憶し、給水電磁弁を間欠的に駆動させる間欠給水動作を行なってからの前記給水時間、あるいは、給水回数が所定値を越えた時に、操作パネル部にて間欠給水動作の実施を促す報知を行なう構成とすることにより、給水電磁弁内の異物除去を定期的に行うことができて、止水不良を防止することができる。
【００２０】
第４の発明は、特に、第１〜３のいずれか一つの発明の制御手段は、給水電磁弁が複数の開閉可能な水路を有する多連式給水電磁弁である場合には、所定の動作パターンで前記多連式給水電磁弁を間欠的に駆動させる間欠給水動作を、複数の水路を交互に、あるいは、同時に駆動させる構成とすることにより、修理のためのサービス員を呼ぶことなく、給水電磁弁の内部に侵入した異物を排出することができ、止水不良になることを防止することができる。
【００２１】
以下、本発明の実施の形態について、図面を参照しながら説明する。なお、この実施の形態によって本発明が限定されるものではない。
【００２２】
（実施の形態１）
図１は、本発明の実施の形態１における洗濯機の縦断面図、図２は、同洗濯機の給水電磁弁の断面図、図３は、同洗濯機のブロック回路図、図４は、同洗濯機の操作パネル部の正面図である。
【００２３】
図１において、洗濯機の本体５１は、サスペンション機構５２により外槽５３をその内部に防振懸垂支持している。外槽５３が回転自在に内包する洗濯兼脱水槽５７の中央底部には、衣類攪拌用の攪拌翼５５が配設されている。
【００２４】
モータ５６は、外槽５３の外底部に取り付けられ、モータ５６の動力を切替部６６により、洗い、すすぎ時には、洗濯軸５４へ伝えて攪拌翼５５を回転し、脱水時には洗濯兼脱水槽５７へ伝えて回転させる。
【００２５】
また、本体５１上部に配設された上部枠体８４には、水道蛇口に接続された給水ホース（図示せず）が接続される給水電磁弁５８と、外槽５３の下部に配管で接続され洗濯兼脱水槽５７内の水位を検知する水位センサ５９が配されている。給水電磁弁５８から給水された水は、洗剤を入れておく洗剤ケース６８を経由して、洗剤と共に槽内へ供給される。
【００２６】
また、外槽５３の底部には、洗濯水を排水するために開閉する排水弁６０が配されており、排水弁６０の開閉により洗濯水を外部へ排出する。
【００２７】
上部枠体８４の略中央部には、開閉自在の蓋部６１が配設されており、蓋部６１の前部側には、各種の入力設定を行なう操作部６４（図３参照）と、設定内容や進行度合いなど
を表示する表示部６５（図３参照）を有する操作パネル部６２が配されている。
【００２８】
本体５１の内背面下部には、モータ５６、給水電磁弁５８、排水弁６０、切替部６６などを制御し、洗い、すすぎ、脱水などの一連の行程を逐次制御する制御手段６３が設けられている。
【００２９】
図２において、給水電磁弁５８のボディ１は、入水口２、入水路３、弁室４、弁座５、出水路６、出水口７から構成され、入水口２の外周部には、ホース接続用のホース接続ネジ部８が形成されている。
【００３０】
入水口２の内部には、水道管内の鉄錆などの異物を捕集するフィルタ９と流量制御部品１０が配されている。弁座５を閉鎖するようにダイヤフラム弁１１が配され、ダイヤフラム弁１１の外周部を押圧するようにプランジャーガイド１２が配されている。
【００３１】
プランジャーガイド１２の内部には、ダイヤフラム弁１１のパイロットオリフィス２１を閉止するための弁体２４を取り付けたプランジャー１３と、プランジャー１３を下方向へ付勢するコイルスプリング１４とが内包されている。
【００３２】
プランジャーガイド１２の外周部には、円筒形のボビン１５に銅の巻線１６を巻き付けて、端部に接続端子１７を設けたコイル１８が配されている。
【００３３】
ダイヤフラム弁１１は、硬質樹脂板１９と、例えば、ＥＰＤＭゴム等からなる弾性部材２０から構成され、硬質樹脂板１９の中央部に貫通し、出水路６に連通するパイロットオリフィス２１が１個と、周辺部には、弁室４に連通するサイドオリフィス２２が１個形成されている。
【００３４】
プランジャー１３は、円筒形金属部２３と、その下側先端部の弁体２４で構成されている。プランジャーガイド１２の内部のコイルスプリング１４は、非通電時は、プランジャー１３を下方向へ付勢する押力を発生させるので、プランジャー１３の弁体２４がパイロットオリフィス２１を閉止している。
【００３５】
背圧室２５は、ダイヤフラム弁１１とプランジャーガイド１２に囲まれた空間であり、プランジャー１３がダイヤフラム弁１１のパイロットオリフィス２１を閉鎖している時には、背圧室２５側と弁室４側は、サイドオリフィス２２を通じて同圧になっており、出水路６が大気圧となっているため、ダイヤフラム弁１１の上下で押力差が生じ、ダイヤフラム弁１１が弁座５に下向きに押圧される。
【００３６】
コイル１８は、内側の円筒板金２６と側面板金２７（図示せず）と下面板金２８によって磁気回路を形成している。そして、ネジ２９の締結により、下面板金２８がその内側に配されたプランジャーガイド１２に押力を与え、プランジャーガイド１２の下端部がダイヤフラム弁１１を構成する弾性部材２０の外周部を押圧して水密性を確保している。
【００３７】
コイル１８に通電すると、電磁力が発生してプランジャー１３が上向きの力を受けて浮上し、パイロットオリフィス２１が開放されて、背圧室２５と出水路６が貫通する。背圧室２５の圧力は、出水路６側の圧力と同圧に近づくため、ダイヤフラム弁１１への弁室４側の水圧による上向きの力の方が大きくなり、ダイヤフラム弁１１を弁座５に押圧することができなくなり、ダイヤフラム弁１１は、弁座５から上向きに浮上する。同時に水がダイヤフラム弁１１と弁座５の間を通り、弁室４から出水路６、出水口７を通じて槽へと給水される。
【００３８】
図３、図４において、通常の洗濯運転を行う場合には、操作パネル部６２上にて電源ボタン８３を押した後、洗いボタン７１を用いて洗い時間を４、８、１２分から選び、次にすすぎボタン７２を用いてすすぎの回数を１、２、３回から選び、最後に脱水ボタン７３で脱水時間を１、５、１０分から選ぶ。そして、表示部６５にて設定した内容が点灯で表示され、スタート／一時停止ボタン７４を押すと、洗い行程がスタートし、給水電磁弁５８が動作して給水が始まる。この時、現在進行中の行程、例えば１２分の表示が点滅し、洗い、すすぎ、脱水の行程が順次進行していく。
【００３９】
なお、操作パネル部６２で入力設定された内容は、制御手段６３に読み込まれて動作メモリ６７に記憶される。
【００４０】
また、洗い、すすぎ、脱水行程で給水を行っている時間、および、給水回数をカウンタ６９で計算して、その内容を動作メモリ６７に記憶するようになっている。
【００４１】
給水選択ボタン７７は、行程運転の中で最終すすぎの攪拌が終わった時に、給水電磁弁５８を間欠的に動作させるように設定できるボタンである。
【００４２】
低水圧環境下において、例えば、水質が悪く、給水電磁弁５８内に鉄錆等の異物が詰まり、水漏れを起こす虞がある場合には、すすぎ行程の最後に、この間欠給水動作を行なうことにより、給水電磁弁５８内の異物を排出することができる。
【００４３】
給水選択ボタン７７として、回数ボタン７５とパターンボタン７６を配置している。パターンボタン７６を用いて、高速７８、リズム７９、混合８０の３パターンから選択し、回数ボタン７５を用いて、選択したパターンを何回行うかを設定することができる。
【００４４】
また、給水選択ボタン７７による間欠給水動作を行ったことは、制御手段６３の動作メモリ６７で記憶しており、通常の洗い、すすぎ、脱水行程で給水を行っている時間、および、給水回数は、上述のようにカウンタ６９で計算して、その内容を動作メモリ６７に記憶しているので、最終すすぎ行程での間欠給水動作を実施した以降の運転における給水時間または給水回数が所定値以上の値になった時には、使用者に対して行程運転の内容設定に合わせて、すすぎ行程の最終に給水電磁弁５８による間欠給水動作を行なう設定を行うように注意喚起する。
【００４５】
注意喚起方法は、例えば、操作パネル部６２の給水選択ボタン７７は、ボタン機能と表示機能を有しており、給水選択ボタン７７が点滅して、間欠給水動作の実施を促す。そして、間欠給水動作が再び実行されると、カウンタ６９はリセットされる。
【００４６】
なお、給水選択ボタン７７による間欠給水動作制御については、図５以降で詳述する。
【００４７】
以上のように構成された洗濯機について、以下、その動作、作用を説明する。
【００４８】
図５は、本発明の実施の形態１における洗濯機の運転コースにて給水電磁弁を間欠給水動作させる動作フローチャート、図６は、同洗濯機の給水電磁弁を間欠給水動作させる時の動作パターン図である。なお、図５の動作フローチャートは、間欠給水動作とすすぎ行程を主体に表している。
【００４９】
図５において、使用者が洗濯する場合は、操作パネル部６２上の電源ボタン８３をＯＮした後、まず洗いボタン７１、すすぎボタン７２、脱水ボタン７３にて運転コースを設定する（ステップ１０１）。
【００５０】
次に、給水電磁弁５８内の異物を排出するための設定を行なう。この設定は、まず給水選択ボタン７７を操作する（ステップ１０２）。そして、パターンボタン７６を押して給水パターンの設定（ステップ１０３）と、高速７８、リズム７９、混合８０のそれぞれのパターンで決まっているサイクルを何回行なうかという設定を回数ボタン７５で行なう（ステップ１０４）。なお、これらの設定の動作パターンは、図６にて詳述する。
【００５１】
そして、スタート／一時停止ボタン７４が押されると（ステップ１０５）、給水電磁弁５８が動作し、設定に基づいて、洗い行程が始まり（ステップ１０６）、攪拌翼５５の回転による洗い攪拌が終わると、すすぎ行程に移行し（ステップ１０７）、まず排水して中間脱水を行なう（ステップ１０８）。その後、給水電磁弁５８が駆動（ステップ１０９）して、規定の水位に達すると（ステップ１１０のＹＥＳ）、給水電磁弁５８は停止（ステップ１１１）して、攪拌翼５５の回転によるすすぎ攪拌が始まる（ステップ１１２）。
【００５２】
そして、所定の時間が経過すると（ステップ１１３のＹＥＳ）、すすぎ攪拌が終了する（ステップ１１４）が、この時、２回のすすぎが設定されており、行なったすすぎ行程が２回目の最終すすぎではない時（ステップ１１５のＮＯ）は、ステップ１０７へ戻って引き続き、次のすすぎを行なう。
【００５３】
行なったすすぎ行程が最終すすぎである時（ステップ１１５のＹＥＳ）には、ステップ１０３、１０４で設定した動作パターンに基づき、給水電磁弁５８が間欠的に駆動する間欠給水動作を行なう（ステップ１１６）。
【００５４】
そして、間欠給水動作が終わると、すすぎ行程が終了（ステップ１１７）して、次の脱水行程（ステップ１１８）へ移行する。
【００５５】
図６は、給水電磁弁を間欠給水動作させる際の動作パターン図を示しており、図６に示す動作パターン図においては、給水電磁弁５８への通電時をＯＮ、非通電時をＯＦＦと示している。
【００５６】
「高速」パターン７８では、短時間間隔でＯＮ―ＯＦＦ動作を連続で行う。「リズム」パターン７９では、長いＯＮ時間とＯＦＦ時間および短時間のＯＮ―ＯＦＦの組み合わせの動作を行う。「混合」パターン８０は、「高速」パターン７８と「リズム」パターン７９を組み合わせた動作である。いずれも、図中で示す１サイクルを１回としている。
【００５７】
このように、ＯＮ時間とＯＦＦ時間の差や、ＯＮ時間の間隔によって、給水電磁弁５８内のダイヤフラム弁１１の上昇及び下降の時間が長い場合や短い場合ができるため、水の流れが脈動し、ダイヤフラム弁１１と弁座５の間の隙間も水の脈動に応じて上下し、水の勢いも増減するため、異物を排出することができる。
【００５８】
なお、この給水動作のパターンは、図６に示した波形以外の波形でもよく、組み合わせ数や反復回数も本実施形態１に示したものに限定するものではなく、適宜選択し得る事項である。
【００５９】
手動給水動作は、給水電磁弁５８内部の異物を取ることを目的にしているため、通常の洗い、すすぎ、脱水の行程とは区別して使用される必要がある。そのため、手動給水動作の選択と、洗い、すすぎ、脱水の選択とは、排他的に選択され、一時停止中に片方のボタンが押された場合は、他方をリセットする。また、自動運転中は、相互に切り替えすることはできない。
【００６０】
以上のように、本実施の形態においては、洗い、すすぎ、脱水のコース内容設定ととも
に、給水電磁弁５８を間欠的に駆動させる間欠給水動作が設定されている場合に、運転コースにおいて、最終すすぎ行程の最後に給水電磁弁５８を駆動させて、間欠給水動作を行なう構成とすることにより、水圧が低く、水に異物や鉄錆などが混入している水質の悪い地域においても、給水電磁弁５８を所定の通電制御で動作させることで、修理のためのサービス員を呼ぶことなく、給水電磁弁の内部に侵入した異物を排出することができ、止水不良になることを防止することができる。
【００６１】
また、操作パネル部６２に設けられた給水電磁弁５８への通電ＯＮ時間と通電ＯＦＦ時間の長短組み合わせの複数パターンとその動作回数の設定に応じて、給水電磁弁５８を間欠的に駆動させる間欠給水動作を行なう構成とすることにより、修理のためのサービス員を呼ぶことなく、給水電磁弁の内部に侵入した異物を排出することができ、止水不良になることを防止することができる。
【００６２】
さらに、通常の洗い、すすぎ、脱水行程で給水を行っている給水時間、および、給水回数を、内部に設けたカウンタ６９で計算して、その内容を動作メモリ６７に記憶し、給水電磁弁５８を間欠的に駆動させる間欠給水動作を行なってからの給水時間、あるいは、給水回数が所定値を越えた時に、操作パネル部６２にて間欠給水動作の実施を促す報知を行なう構成とすることにより、給水電磁弁５８内の異物除去を定期的に行うことができ、止水不良を防止することができる。
【００６３】
本実施の形態では、縦型洗濯機を用いて説明したが、縦型洗濯機に限定するものではなく、ドラム式洗濯機に用いてもよい。
（実施の形態２）
図７は、本発明の実施の形態２における洗濯機の給水電磁弁の平面図である。給水電磁弁以外の構成については、実施の形態１と同じであるので、説明を省略する。
【００６４】
図７において、給水電磁弁は、二つの水路が開閉可能な、いわゆる２連式給水電磁弁８５であり、２連式給水電磁弁８５のＡ側８１は、洗剤ケース６８内の洗剤投入部（図示せず）に給水して、水と洗剤を混合しながら洗濯兼脱水槽５７に注ぐための水路であり、Ｂ側８２は、洗剤ケース６８内の柔軟剤投入部（図示せず）に給水して、水と柔軟剤を混合しながら洗濯兼脱水槽５７に給水するための水路である。
【００６５】
この２連式給水電磁弁８５を手動給水動作する場合には、図４に示す操作パネル部６２の回数ボタン７５とパターンボタン７６で、例えば、「リズム」パターン７９と「２回」を設定すれば、設定に応じて、一方の例えば、Ａ側８１が動作し、次に、同内容で他方のＢ側８２が動作する。
【００６６】
このように、２つの水路を使ってＯＮ―ＯＦＦ動作を行い、動作パターンも複数選択できることで、Ａ側８１からＢ側８２へ、Ｂ側８２からＡ側８１へなど、２連式給水電磁弁８５内部での水の流れをより大きく変化させることで、よりスムーズに異物を排出することができる。なお、動作パターンは、上記内容に限定するものではなく、Ａ側８１とＢ側８２を同時に動作させてもよい。
【００６７】
また、給水電磁弁は、２つ以上の水路も持つ多連式給水弁でもよく、２連の配置も図７の直線上に並んだものに限定するものではない。
【００６８】
以上のように、本実施の形態２においては、給水電磁弁が複数の開閉可能な水路を有する多連式給水電磁弁８５である場合に、所定の動作パターンで多連式給水電磁弁８５を間欠的に駆動させる間欠給水動作を、複数の水路を交互に、あるいは、同時に駆動させる構成とすることにより、修理のためのサービス員を呼ぶことなく、給水電磁弁の内部に侵入
した異物を排出することができ、止水不良になることを防止することができる。
【産業上の利用可能性】
【００６９】
以上のように、本発明にかかる洗濯機は、例えば、水圧が低く、水に異物や鉄錆などが混入しているような水質の悪い地域においても、修理のためのサービス員を呼ぶことなく、給水電磁弁に侵入した異物を排出することができ、止水不良になることを防止できるので、給水電磁弁を有する他の洗濯機の用途に適用できる。
【符号の説明】
【００７０】
１１  ダイヤフラム弁
１３  プランジャー
２１  パイロットオリフィス
５１  本体
５３  外槽
５５  攪拌翼
５６  モータ
５７  洗濯兼脱水槽
５８  給水電磁弁
６２  操作パネル部
６３  制御手段
６５  表示部
６７  動作メモリ
６９  カウンタ
８４  上部枠体
８５  ２連式給水電磁弁（多連式給水電磁弁）
【図１】
2018130241.tif 000003
【図２】
2018130241.tif 000004
【図３】
2018130241.tif 000005
【図４】
2018130241.tif 000006
【図５】
2018130241.tif 000007
【図６】
2018130241.tif 000008
【図７】
2018130241.tif 000009
【図８】
2018130241.tif 000010